(57)【要約】  本願は、ブロードキャスト情報を決定するための方法および装置を開示する。本方法は、ユーザ機器によって、少なくとも2つのブロードキャストチャネルを受信するステップであって、各ブロードキャストチャネルは基準信号およびブロードキャスト情報を含む、ステップと、2つのブロードキャストチャネルの各々の基準信号に基づいて、ユーザ機器によって、2つのブロードキャストチャネルに含まれるブロードキャスト情報が同じであるかどうかを判定するステップと、を含む。本願の方法および装置によれば、端末装置は、基準信号を使用することにより、2つのブロードキャストチャネルに含まれるブロードキャスト情報が同じであるかどうかを直接判定することができる。
2020524441.tif 000002
【特許請求の範囲】
【請求項１】
ブロードキャスト情報を決定するための方法であって、
ユーザ機器によって、少なくとも2つのブロードキャストチャネルを受信するステップであって、各ブロードキャストチャネルは基準信号およびブロードキャスト情報を含む、ステップと、
前記2つのブロードキャストチャネルの各々の前記基準信号に基づいて、前記ユーザ機器によって、前記2つのブロードキャストチャネルに含まれるブロードキャスト情報が同じであるかどうかを判定するステップと、を含む方法。
【請求項２】
前記ブロードキャスト情報は、制御チャネルリソースの構成情報を含む、請求項1に記載の方法。
【請求項３】
前記少なくとも2つのブロードキャストチャネルによって使用されるセル識別情報は同じである、請求項1または2に記載の方法。
【請求項４】
前記2つのブロードキャストチャネルの各々の前記基準信号に基づいて、前記ユーザ機器によって、前記2つのブロードキャストチャネルに含まれるブロードキャスト情報が同じであるかどうかを判定する前記ステップは、
前記2つのブロードキャストチャネルの前記基準信号シーケンスに基づいて、前記ユーザ機器によって、前記2つのブロードキャストチャネルに含まれる前記ブロードキャスト情報が同じであるかどうかを判定するステップを含む、請求項1から3のいずれか一項に記載の方法。
【請求項５】
前記2つのブロードキャストチャネルの各々の前記基準信号に基づいて、前記ユーザ機器によって、前記2つのブロードキャストチャネルに含まれるブロードキャスト情報が同じであるかどうかを判定する前記ステップは、
前記2つのブロードキャストチャネルの基準信号シーケンスの初期値に基づいて、前記ユーザ機器によって、前記2つのブロードキャストチャネルに含まれる前記ブロードキャスト情報が同じであるかどうかを判定するステップを含む、請求項1から3のいずれか一項に記載の方法。
【請求項６】
前記2つのブロードキャストチャネルの各々の前記基準信号に基づいて、前記ユーザ機器によって、前記2つのブロードキャストチャネルに含まれるブロードキャスト情報が同じであるかどうかを判定する前記ステップは、
前記2つのブロードキャストチャネルの基準信号シーケンスの初期値の識別情報IDに基づいて、前記ユーザ機器によって、前記2つのブロードキャストチャネルに含まれる前記ブロードキャスト情報が同じであるかどうかを判定するステップを含む、請求項1から3のいずれか一項に記載の方法。
【請求項７】
前記2つのブロードキャストチャネルの各々の前記基準信号に基づいて、前記ユーザ機器によって、前記2つのブロードキャストチャネルに含まれるブロードキャスト情報が同じであるかどうかを判定する前記ステップは、
前記2つのブロードキャストチャネルの基準信号シーケンスの巡回シフト値に基づいて、前記ユーザ機器によって、前記2つのブロードキャストチャネルに含まれる前記ブロードキャスト情報が同じであるかどうかを判定するステップを含む、請求項1から3のいずれか一項に記載の方法。
【請求項８】
前記2つのブロードキャストチャネルの各々の前記基準信号に基づいて、前記ユーザ機器によって、前記2つのブロードキャストチャネルに含まれるブロードキャスト情報が同じであるかどうかを判定する前記ステップは、
前記2つのブロードキャストチャネルの基準信号シーケンスによって使用されるマスクまたは直交カバーコードOCCに基づいて、前記ユーザ機器によって、前記2つのブロードキャストチャネルに含まれる前記ブロードキャスト情報が同じであるかどうかを判定するステップを含む、請求項1から3のいずれか一項に記載の方法。
【請求項９】
前記2つのブロードキャストチャネルの前記基準信号に基づいて、前記ユーザ機器によって、前記2つのブロードキャストチャネルに含まれるブロードキャスト情報が同じであるかどうかを判定する前記ステップは、
前記2つのブロードキャストチャネルの基準信号シーケンスによって使用される仮想識別情報に基づいて、前記ユーザ機器によって、前記2つのブロードキャストチャネルに含まれる前記ブロードキャスト情報が同じであるかどうかを判定するステップを含む、請求項1から3のいずれか一項に記載の方法。
【請求項１０】
前記ブロードキャストチャネルの前記基準信号は、疑似コロケーションQCL情報をさらに搬送し、前記QCL情報は、前記ブロードキャストチャネルの前記基準信号と、前記制御チャネルリソース内の少なくとも1つの制御チャネルの復調基準信号と、が疑似コロケートされることを示す、請求項2から9のいずれか一項に記載の方法。
【請求項１１】
前記方法は、
前記ブロードキャストチャネルの前記ブロードキャスト情報に基づいて、少なくとも2つの候補制御チャネルを前記ユーザ機器によって検出するステップであって、前記少なくとも2つの候補制御チャネルのQCL情報は異なっている、ステップをさらに含む、請求項10に記載の方法。
【請求項１２】
ブロードキャスト情報を決定するための方法であって、
ネットワーク装置によって、少なくとも2つのブロードキャストチャネルを決定するステップであって、各ブロードキャストチャネルは、基準信号およびブロードキャスト情報を含み、前記基準信号は、前記少なくとも2つのブロードキャストチャネルに含まれるブロードキャスト情報が同じであるかどうかを示す、ステップと、
前記ネットワーク装置によって、前記少なくとも2つのブロードキャストチャネルを送信するステップと、を含む方法。
【請求項１３】
前記ブロードキャスト情報は、制御チャネルリソースの構成情報を含む、請求項12に記載の方法。
【請求項１４】
前記少なくとも2つのブロードキャストチャネルによって使用されるセル識別情報は同じである、請求項12または13に記載の方法。
【請求項１５】
前記基準信号は各々基準信号シーケンスを含み、前記基準信号シーケンスは、前記2つのブロードキャストチャネルに含まれる前記ブロードキャスト情報が同じであるかどうかを示す、請求項12から14のいずれか一項に記載の方法。
【請求項１６】
前記基準信号は各々基準信号シーケンスを含み、前記基準信号シーケンスの初期値は、前記2つのブロードキャストチャネルに含まれる前記ブロードキャスト情報が同じであるかどうかを示す、請求項12から14のいずれか一項に記載の方法。
【請求項１７】
前記基準信号は各々基準信号シーケンスを含み、前記基準信号シーケンスの初期値の識別情報IDは、前記2つのブロードキャストチャネルに含まれる前記ブロードキャスト情報が同じであるかどうかを示す、請求項12から14のいずれか一項に記載の方法。
【請求項１８】
前記基準信号は各々基準信号シーケンスを含み、前記基準信号シーケンスの巡回シフト値は、前記2つのブロードキャストチャネルに含まれる前記ブロードキャスト情報が同じであるかどうかを示す、請求項12から14のいずれか一項に記載の方法。
【請求項１９】
前記基準信号は各々基準信号シーケンスを含み、前記基準信号シーケンスによって使用されるマスクまたは直交カバーコードOCCは、前記2つのブロードキャストチャネルに含まれる前記ブロードキャスト情報が同じであるかどうかを示す、請求項12から14のいずれか一項に記載の方法。
【請求項２０】
前記基準信号は各々基準信号シーケンスを含み、前記基準信号シーケンスによって使用される仮想識別情報は、前記2つのブロードキャストチャネルに含まれる前記ブロードキャスト情報が同じであるかどうかを示す、請求項12から14のいずれか一項に記載の方法。
【請求項２１】
前記ブロードキャストチャネルの前記基準信号は、疑似コロケーションQCL情報をさらに搬送し、前記QCL情報は、前記ブロードキャストチャネルの前記基準信号と、前記制御チャネルリソース内の少なくとも1つの制御チャネルの復調基準信号と、が疑似コロケートされることを示す、請求項13から20のいずれか一項に記載の方法。
【請求項２２】
前記方法は、前記ブロードキャストチャネルの前記ブロードキャスト情報に基づいて、少なくとも2つの候補制御チャネルを前記ネットワーク装置によって構成するステップであって、前記少なくとも2つの候補制御チャネルのQCL情報は異なっている、ステップをさらに含む、請求項21に記載の方法。
【請求項２３】
少なくとも2つのブロードキャストチャネルを受信するように構成されたトランシーバであって、各ブロードキャストチャネルが基準信号およびブロードキャスト情報を含む、トランシーバと、
前記2つのブロードキャストチャネルの各々の前記基準信号に基づいて、前記2つのブロードキャストチャネルに含まれるブロードキャスト情報が同じであるかどうかを判定するように構成されたプロセッサと、
を含むユーザ機器。
【請求項２４】
前記ブロードキャスト情報は、制御チャネルリソースの構成情報を含む、請求項23に記載の機器。
【請求項２５】
前記少なくとも2つのブロードキャストチャネルによって使用されるセル識別情報は同じである、請求項23または24に記載の機器。
【請求項２６】
前記プロセッサは、具体的には、
前記2つのブロードキャストチャネルの基準信号シーケンスに基づいて、前記2つのブロードキャストチャネルに含まれる前記ブロードキャスト情報が同じであるかどうかを判定するように構成される、請求項23から25のいずれか一項に記載の機器。
【請求項２７】
前記プロセッサは、具体的には、前記2つのブロードキャストチャネルの基準信号シーケンスの初期値に基づいて、前記2つのブロードキャストチャネルに含まれる前記ブロードキャスト情報が同じであるかどうかを判定するように構成される、請求項23から25のいずれか一項に記載の機器。
【請求項２８】
前記プロセッサは、具体的には、
前記2つのブロードキャストチャネルの基準信号シーケンスの初期値の識別情報IDに基づいて、前記2つのブロードキャストチャネルに含まれる前記ブロードキャスト情報が同じであるかどうかを判定するように構成される、請求項23から25のいずれか一項に記載の機器。
【請求項２９】
前記プロセッサは、具体的には、
前記2つのブロードキャストチャネルの基準信号シーケンスの巡回シフト値に基づいて、前記2つのブロードキャストチャネルに含まれる前記ブロードキャスト情報が同じであるかどうかを判定するように構成される、請求項23から25のいずれか一項に記載の機器。
【請求項３０】
前記プロセッサは、具体的には、
前記2つのブロードキャストチャネルの基準信号シーケンスによって使用されるマスクまたは直交カバーコードOCCに基づいて、前記2つのブロードキャストチャネルに含まれる前記ブロードキャスト情報が同じであるかどうかを判定するように構成される、請求項23から25のいずれか一項に記載の機器。
【請求項３１】
前記プロセッサは、具体的には、
前記2つのブロードキャストチャネルの基準信号シーケンスによって使用される仮想識別情報に基づいて、前記2つのブロードキャストチャネルに含まれる前記ブロードキャスト情報が同じであるかどうかを判定するように構成される、請求項23から25に記載の機器。
【請求項３２】
前記ブロードキャストチャネルの前記基準信号は、疑似コロケーションQCL情報をさらに搬送し、前記QCL情報は、前記ブロードキャストチャネルの前記基準信号と、前記制御チャネルリソース内の少なくとも1つの制御チャネルの復調基準信号と、が疑似コロケートされることを示す、請求項24から31のいずれか一項に記載の機器。
【請求項３３】
前記プロセッサは、前記ブロードキャストチャネルの前記ブロードキャスト情報に基づいて、少なくとも2つの候補制御チャネルを検出し、前記少なくとも2つの候補制御チャネルのQCL情報が異なっている、ようにさらに構成される、請求項32に記載の機器。
【請求項３４】
少なくとも2つのブロードキャストチャネルを決定するように構成されたプロセッサであって、各ブロードキャストチャネルが基準信号およびブロードキャスト情報を含み、前記基準信号が前記少なくとも2つのブロードキャストチャネルに含まれるブロードキャスト情報が同じであるかどうかを示す、プロセッサと、
前記少なくとも2つのブロードキャストチャネルを送信するように構成されたトランシーバと、
を含むネットワーク装置。
【請求項３５】
前記ブロードキャスト情報は、制御チャネルリソースの構成情報を含む、請求項34に記載の装置。
【請求項３６】
前記少なくとも2つのブロードキャストチャネルによって使用されるセル識別情報は同じである、請求項34または35に記載の装置。
【請求項３７】
前記基準信号は各々基準信号シーケンスを含み、前記基準信号シーケンスは、前記2つのブロードキャストチャネルに含まれる前記ブロードキャスト情報が同じであるかどうかを示す、請求項34から36のいずれか一項に記載の装置。
【請求項３８】
前記基準信号は各々基準信号シーケンスを含み、前記基準信号シーケンスの初期値は、前記2つのブロードキャストチャネルに含まれる前記ブロードキャスト情報が同じであるかどうかを示す、請求項34から36のいずれか一項に記載の装置。
【請求項３９】
前記基準信号は各々基準信号シーケンスを含み、前記基準信号シーケンスの初期値の識別情報IDは、前記2つのブロードキャストチャネルに含まれる前記ブロードキャスト情報が同じであるかどうかを示す、請求項34から36のいずれか一項に記載の装置。
【請求項４０】
前記基準信号は各々基準信号シーケンスを含み、前記基準信号シーケンスの巡回シフト値は、前記2つのブロードキャストチャネルに含まれる前記ブロードキャスト情報が同じであるかどうかを示す、請求項34から36のいずれか一項に記載の装置。
【請求項４１】
前記基準信号は各々基準信号シーケンスを含み、前記基準信号シーケンスによって使用されるマスクまたは直交カバーコードOCCは、前記2つのブロードキャストチャネルに含まれる前記ブロードキャスト情報が同じであるかどうかを示す、請求項34から36のいずれか一項に記載の装置。
【請求項４２】
前記基準信号は各々基準信号シーケンスを含み、前記基準信号シーケンスによって使用される仮想識別情報は、前記2つのブロードキャストチャネルに含まれる前記ブロードキャスト情報が同じであるかどうかを示す、請求項34から36のいずれか一項に記載の装置。
【請求項４３】
前記ブロードキャストチャネルの前記基準信号は、疑似コロケーションQCL情報をさらに搬送し、前記QCL情報は、前記ブロードキャストチャネルの前記基準信号と、前記制御チャネルリソース内の少なくとも1つの制御チャネルの復調基準信号と、が疑似コロケートされることを示す、請求項35から42のいずれか一項に記載の装置。
【請求項４４】
前記プロセッサは、前記ブロードキャストチャネルの前記ブロードキャスト情報に基づいて、少なくとも2つの候補制御チャネルを構成し、前記少なくとも2つの候補制御チャネルのQCL情報が異なっている、ようにさらに構成される、請求項43に記載の装置。
【発明の詳細な説明】
【技術分野】
【０００１】
本願は、2017年6月17日に中国特許庁に提出された「METHOD FOR DETERMINING BROADCAST INFORMATION AND DEVICE」という表題の中国特許出願第201710459817．9号の優先権を主張し、その全体が参照により本明細書に組み込まれる。
【０００２】
本願は、無線通信技術の分野に関し、特に、ブロードキャスト情報を決定するための方法および装置に関する。
【背景技術】
【０００３】
第4世代の無線アクセスシステム、すなわちロングタームエボリューション（Long Term Evolution、LTE）システムでは、キャリアは6 GHz未満の低周波数帯域に広く展開されている。分割された周波数スペクトルの分布によれば、第5世代無線アクセスシステムの搬送周波数帯域は、第4世代無線アクセスシステムの搬送周波数帯域よりもはるかに高い。例えば、候補の搬送周波数帯域には、30 GHz、60 GHzなどが含まれる。
【０００４】
現在、図1に示すように、第4世代の無線アクセスシステムでは、ブロードキャストチャネルは一般に各セクターで1つのビームを使用して送信され、ブロードキャストチャネルはブロードキャスト情報と基準信号を搬送する。図1に示すシナリオでは、端末装置は各セクターでただ1つのブロードキャストチャネルを受信することができる。各セクターでブロードキャストチャネルを受信した後に、端末装置は、ブロードキャストチャネルで搬送されたブロードキャスト情報および基準信号を取得する。次いで、端末装置は、基準信号を用いてブロードキャスト情報を復調して、復調されたブロードキャスト情報を取得する。最後に、復調されたブロードキャスト情報を用いて無線アクセスシステムにアクセスし、端末装置が基地局と通信することができる。
【０００５】
無線アクセスシステムでは、キャリアの周波数帯域が高いほど、自由空間でのフェージングが大きくなり、カバレッジが制限される。カバレッジ制限の問題を解決するために、図2に示すように、第5世代の無線アクセスシステムでは、関連する技術者が複数の高利得指向性ビームを各セクターで一緒に使用してブロードキャストチャネルを送信する解決策を提案している。この場合、図2に示すシナリオでは、端末装置は、各セクターで複数のブロードキャストチャネルを受信することができる。この場合、端末装置は、異なるブロードキャストチャネルで搬送されたブロードキャスト情報が同じであるかどうかを判定する必要があり、ブロードキャスト情報が同じであるかどうかに応じてさらなる処理を実行する。従来技術では、1つのセクターで受信された複数のブロードキャストチャネルで搬送されたブロードキャスト情報が同じであるかどうかを、端末装置がどのように判定するかについての解決策はない。例えば、基地局は3つの指向性ビームを使用して、1つのセクターでブロードキャストチャネルを送信する。それに応じて、端末装置は、セクター内の3つのブロードキャストチャネルを受信することができる。しかし、3つのブロードキャストチャネルで搬送されたブロードキャスト情報が同じであるかどうかを、端末装置がどのように判定するかについての解決策はない。
【発明の概要】
【０００６】
本願は、複数のブロードキャストチャネルに含まれるブロードキャスト情報が同一であるかどうかを判定するために、ブロードキャスト情報を判定するための方法および装置を提供する。
【課題を解決するための手段】
【０００７】
第1の態様によれば、本願は、ブロードキャスト情報を決定するための方法を提供する。本方法は、ユーザ機器によって、少なくとも2つのブロードキャストチャネルを受信するステップであって、各ブロードキャストチャネルは基準信号およびブロードキャスト情報を含む、ステップと、2つのブロードキャストチャネルの各々の基準信号に基づいて、ユーザ機器によって、2つのブロードキャストチャネルに含まれるブロードキャスト情報が同じであるかどうかを判定するステップと、を含む。
【０００８】
本願では、2つのブロードキャスト情報が同じであるかどうかは、基準信号に基づいて決定されてもよいことが分かる。処理プロセスが簡素化されることにより、端末装置の消費電力が削減される。加えて、2つのブロードキャスト信号が同じである場合には、ブロードキャスト信号をさらに処理することができ、例えば、2つの同じブロードキャスト信号に対して結合が実行されるので、端末ユーザによるブロードキャスト信号の処理性能が向上し、ユーザ機器によるネットワークへのアクセスの性能が最適化される。
【０００９】
可能な設計では、ブロードキャスト情報には、制御チャネルリソースの構成情報が含まれる。
【００１０】
可能な設計では、少なくとも2つのブロードキャストチャネルで使用されるセル識別情報は同じである。
【００１１】
可能な設計では、2つのブロードキャストチャネルの各々の基準信号に基づいて、ユーザ機器によって、2つのブロードキャストチャネルに含まれるブロードキャスト情報が同じであるかどうかを判定するステップは、2つのブロードキャストチャネルの基準信号シーケンスに基づいて、ユーザ機器によって、2つのブロードキャストチャネルに含まれるブロードキャスト情報が同じであるかどうかを判定するステップを含む。
【００１２】
本願では、基準信号シーケンスを直接使用して、ブロードキャスト信号が同じであるかどうかを判定することができる。実施は容易で、ユーザ機器の消費電力が削減される。例えば、2つのブロードキャストチャネルの基準信号が同じである場合、2つのブロードキャストチャネルに含まれるブロードキャスト信号は同じであると判定される。2つのブロードキャストチャネルの基準信号が異なる場合、2つのブロードキャストチャネルに含まれるブロードキャスト信号は異なると判定される。
【００１３】
可能な設計では、2つのブロードキャストチャネルの各々の基準信号に基づいて、ユーザ機器によって、2つのブロードキャストチャネルに含まれるブロードキャスト情報が同じであるかどうかを判定するステップは、2つのブロードキャストチャネルの基準信号シーケンスの初期値に基づいて、ユーザ機器によって、2つのブロードキャストチャネルに含まれるブロードキャスト情報が同じであるかどうかを判定するステップを含む。
【００１４】
可能な設計では、2つのブロードキャストチャネルの各々の基準信号に基づいて、ユーザ機器によって、2つのブロードキャストチャネルに含まれるブロードキャスト情報が同じであるかどうかを判定するステップは、2つのブロードキャストチャネルの基準信号シーケンスの初期値の識別情報IDに基づいて、ユーザ機器によって、2つのブロードキャストチャネルに含まれるブロードキャスト情報が同じであるかどうかを判定するステップを含む。
【００１５】
可能な設計では、2つのブロードキャストチャネルの各々の基準信号に基づいて、ユーザ機器によって、2つのブロードキャストチャネルに含まれるブロードキャスト情報が同じであるかどうかを判定するステップは、2つのブロードキャストチャネルの基準信号シーケンスの巡回シフト値に基づいて、ユーザ機器によって、2つのブロードキャストチャネルに含まれるブロードキャスト情報が同じであるかどうかを判定するステップを含む。
【００１６】
可能な設計では、2つのブロードキャストチャネルの各々の基準信号に基づいて、ユーザ機器によって、2つのブロードキャストチャネルに含まれるブロードキャスト情報が同じであるかどうかを判定するステップは、2つのブロードキャストチャネルの基準信号シーケンスによって使用されるマスクまたは直交カバーコードOCCに基づいて、ユーザ機器によって、2つのブロードキャストチャネルに含まれるブロードキャスト情報が同じであるかどうかを判定するステップを含む。
【００１７】
可能な設計では、可能な設計では、2つのブロードキャストチャネルの各々の基準信号に基づいて、ユーザ機器によって、2つのブロードキャストチャネルに含まれるブロードキャスト情報が同じであるかどうかを判定するステップは、2つのブロードキャストチャネルの基準信号シーケンスによって使用される仮想識別情報に基づいて、ユーザ機器によって、2つのブロードキャストチャネルに含まれるブロードキャスト情報が同じであるかどうかを判定するステップを含む。
【００１８】
可能な設計では、ブロードキャストチャネルの基準信号は、疑似コロケーションQCL情報をさらに搬送し、QCL情報は、ブロードキャストチャネルの基準信号と、制御チャネルリソース内の少なくとも1つの制御チャネルの復調基準信号と、がQCLであることを示す。
【００１９】
可能な設計では、第1の態様による方法は、ブロードキャストチャネルのブロードキャスト情報に基づいて、少なくとも2つの候補制御チャネルをユーザ機器によって検出するステップであって、少なくとも2つの候補制御チャネルのQCL情報は異なっている、ステップをさらに含む。
【００２０】
第2の態様によれば、本願は、ブロードキャスト情報を決定するための方法をさらに提供する。本方法は、ネットワーク装置によって、少なくとも2つのブロードキャストチャネルを決定するステップであって、各ブロードキャストチャネルは、基準信号およびブロードキャスト情報を含み、基準信号は、少なくとも2つのブロードキャストチャネルに含まれるブロードキャスト情報が同じであるかどうかを示す、ステップと、ネットワーク装置によって、少なくとも2つのブロードキャストチャネルを送信するステップと、を含む。
【００２１】
可能な設計では、ブロードキャスト情報には、制御チャネルリソースの構成情報が含まれる。
【００２２】
可能な設計では、少なくとも2つのブロードキャストチャネルで使用されるセル識別情報は同じである。
【００２３】
可能な設計では、基準信号は各々基準信号シーケンスを含み、基準信号シーケンスは、2つのブロードキャストチャネルに含まれるブロードキャスト情報が同じであるかどうかを示す。
【００２４】
可能な設計では、基準信号は各々基準信号シーケンスを含み、基準信号シーケンスの初期値は、2つのブロードキャストチャネルに含まれるブロードキャスト情報が同じであるかどうかを示す。
【００２５】
可能な設計では、基準信号は各々基準信号シーケンスを含み、基準信号シーケンスの初期値の識別情報IDは、2つのブロードキャストチャネルに含まれるブロードキャスト情報が同じであるかどうかを示す。
【００２６】
可能な設計では、基準信号は各々基準信号シーケンスを含み、基準信号シーケンスの巡回シフト値は、2つのブロードキャストチャネルに含まれるブロードキャスト情報が同じであるかどうかを示す。
【００２７】
可能な設計では、基準信号は各々基準信号シーケンスを含み、基準信号シーケンスによって使用されるマスクまたは直交カバーコードOCCは、2つのブロードキャストチャネルに含まれるブロードキャスト情報が同じであるかどうかを示す。
【００２８】
可能な設計では、基準信号は各々基準信号シーケンスを含み、基準信号シーケンスによって使用される仮想識別情報は、2つのブロードキャストチャネルに含まれるブロードキャスト情報が同じであるかどうかを示す。
【００２９】
可能な設計では、ブロードキャストチャネルの基準信号は、疑似コロケーションQCL情報をさらに搬送し、QCL情報は、ブロードキャストチャネルの基準信号と、制御チャネルリソース内の少なくとも1つの制御チャネルの復調基準信号と、がQCLであることを示す。
【００３０】
可能な設計では、本方法は、ブロードキャストチャネルのブロードキャスト情報に基づいて、少なくとも2つの候補制御チャネルをネットワーク装置によって構成するステップであって、少なくとも2つの候補制御チャネルのQCL情報は異なっている、ステップをさらに含む。
【００３１】
第3の態様によれば、本願は、第1の態様の前述の方法例における端末装置の動作を実現する機能を有する端末装置を含むユーザ機器をさらに提供する。機能は、ハードウェアにより実現されてもよく、または対応するソフトウェアを実行することによりハードウェアにより実現されてもよい。ハードウェアまたはソフトウェアは、機能に対応する1つもしくは複数のモジュールを含む。
【００３２】
可能な設計では、端末装置の構造は処理ユニットおよび受信ユニットを含む。ユニットは、前述の方法例の対応する機能を実行することができる。詳細については、方法例の詳細な説明を参照されたく、ここでは詳細について説明しない。
【００３３】
第4の態様によれば、本願はさらに端末装置を提供する。端末装置は、第1の態様の前述の方法例における端末装置の動作を実現する機能を有する。この機能はハードウェアで実現することができる。端末装置の構造は、通信モジュール、プロセッサ、バス、ディスプレイパネル、およびメモリを含む。プロセッサ、ディスプレイパネル、およびメモリは、バスを使用して接続される。ディスプレイパネルは画像を表示するように構成され、プロセッサはメモリに格納された命令を呼び出して前述の方法を実行し、通信モジュールはマルチメディアファイルを送信するように構成される。
【００３４】
可能な設計では、通信モジュールは、RF回路、WiFiモジュール、通信インターフェース、ブルートゥース（登録商標）モジュールなどであってもよい。
【００３５】
第5の態様によれば、本願の一実施形態は、端末装置をさらに提供する。端末装置は、前述の2つの態様の方法例における端末装置の動作を実施する機能を有する。機能は、ハードウェアにより実現されてもよく、または対応するソフトウェアを実行することによりハードウェアにより実現されてもよい。ハードウェアまたはソフトウェアは、機能に対応する1つもしくは複数のモジュールを含む。
【００３６】
可能な設計では、端末装置の構造は処理ユニットおよび送信ユニットを含む。ユニットは、前述の方法例の対応する機能を実行することができる。詳細については、方法例の詳細な説明を参照されたく、ここでは詳細について説明しない。
【００３７】
第6の態様によれば、本願は端末装置をさらに提供する。端末装置は、第2の態様の方法例における端末装置の動作を実現する機能を有する。この機能はハードウェアで実現することができる。端末装置の構造は、プロセッサ、バス、およびトランシーバを含む。プロセッサとトランシーバは、バスを使用して接続される。
【００３８】
可能な設計では、プロセッサは少なくとも2つのブロードキャストチャネルを決定するように構成され、トランシーバは少なくとも2つのブロードキャスト情報を送信するように構成されている。
【００３９】
第7の態様によれば、本願の一実施形態は、コンピュータ記憶媒体をさらに提供する。記憶媒体はソフトウェアプログラムを格納する。1つまたは複数のプロセッサによって読み取られて実行されると、ソフトウェアプログラムは、第1の態様または第1の態様の設計のいずれか1つによる方法を実施することができる。
【００４０】
第8の態様によれば、本願の一実施形態は、コンピュータ記憶媒体をさらに提供する。記憶媒体はソフトウェアプログラムを格納する。1つまたは複数のプロセッサによって読み取られて実行されると、ソフトウェアプログラムは、第2の態様または第2の態様の設計のいずれか1つによる方法を実施することができる。
【００４１】
第9の態様によれば、本願の一実施形態はコンピュータプログラムを提供する。コンピュータプログラムは、コンピュータ命令を含む。コンピュータ命令がコンピュータ上で実行されると、コンピュータは第1の態様または第2の態様による方法を実行する。
【００４２】
第10の態様によれば、本願の一実施形態は通信システムをさらに提供する。通信システムは、第1の態様による端末装置と第2の態様によるネットワーク装置とを含む。
【００４３】
したがって、本願では、ネットワーク装置は最初に少なくとも2つのブロードキャストチャネルを生成することができ、少なくとも2つのブロードキャストチャネルを端末装置に送信する。ブロードキャストチャネルは、基準信号およびブロードキャスト情報を含み、基準信号を使用して、少なくとも2つのブロードキャストチャネルに含まれるブロードキャスト情報が同じであるかどうかを表すことができる。ブロードキャストチャネルを受信した後に、端末装置は、ブロードキャストチャネルの基準信号に基づいて、2つのブロードキャストチャネルに含まれるブロードキャスト情報が同じであるかどうかを判定することができる。本願の方法および装置に基づいて、少なくとも2つのブロードキャストチャネルに含まれるブロードキャスト情報が同じであるかどうかを判定することができる。
【図面の簡単な説明】
【００４４】
【図１】本願による第4世代無線アクセスシステムにおける基地局によるブロードキャストチャネルの送信の概略図である。
【図２】本願による第5世代無線アクセスシステムにおける基地局によるブロードキャストチャネルの送信の概略図である。
【図３】本願によるブロードキャスト情報を決定する方法および装置の概略フローチャートである。
【図４】本願による基地局の概略構成図である。
【図５】本願による端末装置の概略構成図である。
【発明を実施するための形態】
【００４５】
理解を容易にするために、例を使用して参照するために、本願に関連する概念の説明を以下に示す。
【００４６】
基地局とも呼ばれることがある基地局（base station、BS）装置は、無線通信機能を提供するために無線アクセスネットワークに展開される装置である。例えば、2Gネットワークでは、基地局機能を提供する装置には、基地トランシーバ局（base transceiver station、BTS）および基地局コントローラ（base station controller、BSC）が含まれる。3Gネットワークでは、基地局機能を提供する装置には、ノードB（英語：NodeB）および無線ネットワークコントローラ（radio network controller、RNC）が含まれる。4Gネットワークでは、基地局機能を提供する装置には、進化型ノードB（evolved NodeB、eNB）が含まれる。WLANでは、基地局機能を提供する装置はアクセスポイント（access point、AP）である。新しい無線（New Radio、NR）またはLTE＋などの将来の5Gネットワークでは、基地局機能を提供する装置には、次世代ノードB（gNB）、TRP（transmission and reception point、TRP）、またはTP（transmission point、TP）が含まれる。TRPまたはTPは、ベースバンド部分を含まずに、無線周波数部分のみを含んでもよく、ベースバンド部分と無線周波数部分の両方を含んでもよい。
【００４７】
ユーザ機器（user equipment、UE）は端末装置であり、モバイル端末装置であってもよいし、または固定端末装置であってもよい。装置は、主にサービスデータを受信または送信するように構成されている。ユーザ機器はネットワーク内で分散されてもよい。ユーザ機器は、異なるネットワークで異なる名称を有しており、例えば、端末、モバイルコンソール、加入者ユニット、ステーション、携帯電話、携帯情報端末、無線モデム、無線通信装置、ハンドヘルド装置、ラップトップコンピュータ、コードレス電話セット、無線ローカルループステーション、および車載装置などである。ユーザ機器は、無線アクセスネットワーク（radio access network、RAN）（無線通信ネットワークのアクセス部分）を介して1つまたは複数のコアネットワークと通信し、例えば、無線アクセスネットワークと音声および／またはデータを交換する。
【００４８】
ネットワーク側装置は、無線通信ネットワーク内のネットワーク側装置であり、基地局またはコントローラ（もしあれば）などのアクセスネットワーク要素であってもよく、またはコアネットワーク要素であってもよく、または別のネットワーク要素であってもよい。
【００４９】
ビーム（beam）は、空間リソースとして理解されてもよく、エネルギー伝送方向を有する送信または受信プリコーディングベクトルであってもよい。さらに、インデックス情報を使用して、送信または受信のプリコーディングベクトルを識別することができる。エネルギー伝送方向とは、送信された信号のエネルギーがプリコーディング処理によって空間位置に集約され、プリコーディングベクトルを用いてプリコーディング処理が行われた信号が受信されることを指し、その信号は、より良好な受信電力を有し、例えば、受信復調信号対雑音比を満足させる。また、エネルギー伝送方向は、異なる空間位置から送信された同じ信号がプリコーディングベクトルを使用して受信されることを指すこともでき、同じ信号が異なる受信電力を有する。任意選択で、同じ通信装置（端末装置やネットワーク装置など）が異なるプリコーディングベクトルを有してもよく、異なる装置が異なるプリコーディングベクトル、すなわち異なるビームに対応してもよい。通信装置の構成または能力について、1つの通信装置は複数の異なるプリコーディングベクトルのうちの1つまたは複数のプリコーディングベクトルを同時に使用してもよい、すなわち、1つまたは複数のビームが同時に形成されてもよい。ビーム情報は、インデックス情報を使用して識別することができる。任意選択で、インデックス情報は、UEの構成されたリソース識別情報（identity、ID）に対応することができる。例えば、インデックス情報は、構成されたIDまたはチャネル状態情報基準信号（Channel status information Reference Signal、CSI−RS）のリソースに対応してもよく、または、構成されたIDもしくはアップリンクサウンディング基準信号（Sounding Reference Signal、SRS）のリソースに対応してもよい。あるいは、任意選択で、インデックス情報はまた、ビームで搬送される信号またはチャネルによって明示的または暗黙的に搬送されるインデックス情報であってもよい。例えば、インデックス情報は、ビームに関するものであって、ビームを使用して送信される同期信号またはブロードキャストチャネルによって示されるインデックス情報を含むが、これに限定されない。beam pairは、送信端の送信ビーム（Tx beam）と受信端の受信ビーム（Rx beam）を含むことができ、アップリンクビームまたはダウンリンクビームとも呼ばれる。例えば、beam pairは、gNB Tx beam送信ビームまたはUE Rx beam受信ビーム、あるいはUE Tx beam送信ビームまたはgNB Rx beam受信ビームを含むことができ、送信ビームは送信ビームとしても理解されてもよい。
【００５０】
以下では、添付の図面を参照して、本願の技術的解決策について説明する。
【００５１】
図2は、本願の可能なシステムネットワークの概略図である。図2に示すように、第5世代の無線アクセスシステムでは、キャリアの使用周波数帯域は比較的高く、例えば、30GHzおよび60GHzである。カバレッジ制限の問題を解決するために、関連する技術者は、ブロードキャストチャネルを送信するために複数の高利得指向性ビームを1つのセクターで使用する解決策を提案している。この解決策では、ユーザ機器は、1つのセクターで複数のブロードキャストチャネルを受信することができる。この場合、ユーザ機器は、受信した複数のブロードキャストチャネルのブロードキャスト情報が同じであるかどうかを判定し、ブロードキャスト情報が同じであるかどうかに応じて、例えば、複数の同一のブロードキャスト情報を結合して、ブロードキャスト情報を処理する必要がある。本願では、同じブロードキャスト情報を結合するための2つの方法が具体的に提供される。1つの方法は、Chase−combiningである。具体的には、複数の同一のブロードキャスト情報が復調および復号化される場合、同じ場所にある復調信号に対して最尤検出が行われ、最終的にブロードキャスト情報の特定の内容が決定される。他の方法は、複数の同じブロードキャスト情報に対してジョイント復号化を実行することである。一実施態様では、複数のブロードキャストチャネルのソフト復調が結合され、結合されたソフト復調データが復号化に使用される。結合方法は前述の実施態様に限定されず、同じ効果を有する他の信号結合方法は保護範囲内にある。例えば、基地局は3つのビームを使用して、1つのセクターでブロードキャストチャネルを送信する。同様に、ユーザ機器は、1つのセクターで3つのブロードキャストチャネルを受信することができる。3つのブロードキャストチャネルに対応するブロードキャスト情報が同一である場合には、ユーザ機器は、3つのブロードキャストチャネルに含まれるブロードキャスト情報を結合し、それにより、ユーザ機器によるブロードキャスト情報の処理の性能を改善することができる。
【００５２】
これに基づいて、本願はブロードキャスト情報を決定するための方法を提供する。この方法の原理は次のとおりである。改善は、基地局側で基準信号に対して実行されるため、ブロードキャストチャネルの基準信号は、ブロードキャスト信号が同じであるかどうかを表すことができる。次に、ユーザ機器は、ブロードキャストチャネルの基準信号に基づいて、複数のブロードキャストチャネルに含まれるブロードキャスト信号が同じであるかどうかを判定することができる。
【００５３】
本願のいくつかのシナリオは、例として無線通信ネットワークの4Gまたは5Gネットワークシナリオを使用して説明されている。本願のソリューションは、別の無線通信ネットワークにも適用でき、対応する名称は、別の無線通信ネットワークの対応する機能名に置き換えることもできることに留意されたい。
【００５４】
本願における方法または装置は、無線ネットワーク装置とユーザ機器との間に適用されてもよく、または、無線ネットワーク装置と無線ネットワーク装置（例えば、マクロ基地局とマイクロ基地局）との間に適用されてもよく、またはユーザ機器とユーザ機器との間（例えば、D2Dシナリオ）に適用されてもよいことに留意されたい。本願では、ユーザ機器と無線ネットワーク装置との間の通信を説明の例として使用する。
【００５５】
また、本願の技術的解決策は様々な通信システム、例えば、ワイヤレスフィディリティ（wifi）システム、マイクロ波アクセスの世界的な相互運用性（Worldwide Interoperability for Microwave Access、WiMAX）システム、移動体通信のグローバルシステム（Global System of Mobile communication、GSM（登録商標））システム、コード分割多元接続（Code Division Multiple Access、CDMA）システム、広帯域符号分割多元接続（Wideband Code Division Multiple Access、WCDMA（登録商標））システム、および一般パケット無線サービス（General Packet Radio Service、GPRS）システム、ロングタームエボリューション（Long Term Evolution、LTE）システム、アドバンストロングタームエボリューション（Advanced long term evolution、LTE−A）システム、ユニバーサル移動通信システム（Universal Mobile Telecommunications System、UMTS）、第3世代パートナーシッププロジェクト（The 3rd Generation Partnership Project、3GPP）などに関連するセルラーシステム、ならびに第5世代（The Fifth Generation、5G）移動通信システムに適用できることに留意されたい。これは、本発明の実施形態では限定されない。
【００５６】
図3は、本願によるブロードキャスト情報を決定するための方法のプロセスである。このプロセスのネットワーク装置は、図2の基地局に対応し、ユーザ機器は図2のUEに対応する。図3に示すように、本方法は以下のステップを含む。
【００５７】
ステップS31：ネットワーク装置は少なくとも2つのブロードキャストチャネルを決定し、各ブロードキャストチャネルは、基準信号およびブロードキャスト情報を含み、基準信号は、少なくとも2つのブロードキャストチャネルに含まれるブロードキャスト情報が同じであるかどうかを示す。
【００５８】
本願では、ブロードキャスト情報は、制御チャネルリソースの構成情報を含む。各ブロードキャストチャネルに含まれるブロードキャスト情報内の制御チャネルリソースの構成情報は、同じであってもよいし、異なっていてもよい。
【００５９】
ブロードキャストチャネルの基準信号は、ブロードキャストチャネルと同じOFDMシンボルを占有する基準信号および／またはブロードキャストチャネルに対応する同期信号を含む。
【００６０】
以下の文脈における基準信号シーケンスは、ブロードキャストチャネルと同じOFDMシンボルを占有する基準信号の基準信号シーケンスと、ブロードキャストチャネルに対応する同期信号の同期信号シーケンスを示す。
【００６１】
ステップS32：ネットワーク装置は、少なくとも2つのブロードキャストチャネルを送信する。
【００６２】
本願では、ネットワーク装置は、具体的には、1つのセクターの複数の指向性ビームでブロードキャストチャネルを送信してもよい。例えば、1つのセクターに3つの指向性ビームが含まれる場合には、ネットワーク装置は3つの指向性ビームを使用して3つのブロードキャストチャネルを送信してもよい。別の例では、具体的には、各指向性ビームで1つのブロードキャストチャネルを個別に送信してもよい。少なくとも2つのブロードキャストチャネルで使用されたセル識別情報は同じである。
【００６３】
ステップS33：ユーザ機器は、2つのブロードキャストチャネルの各々の基準信号に基づいて、2つのブロードキャストチャネルに含まれるブロードキャスト情報が同じであるかどうかを判定する。
【００６４】
本願では、基準信号はそれぞれ基準信号シーケンスを含み、基準信号シーケンスは指示情報を搬送する。指示情報は、2つのブロードキャストチャネルに含まれるブロードキャスト情報が同じであるかどうかを示すために使用されてもよい。それに対応して、本願では、ユーザ機器は、2つのブロードキャストチャネルの基準信号シーケンスに基づいて、2つのブロードキャストチャネルに含まれるブロードキャスト情報が同じであるかどうかを判定してもよい。例えば、2つのブロードキャストチャネルの基準信号が同一である場合、2つのブロードキャストチャネルに含まれるブロードキャスト情報が同一であると判定されてもよい。2つのブロードキャストチャネルの基準信号が異なる場合、2つのブロードキャストチャネルに含まれるブロードキャスト情報が異なると判定されてもよい。
【００６５】
あるいは、2つのブロードキャストチャネルの基準信号シーケンスが異なる場合、2つのブロードキャストチャネルに含まれるブロードキャスト情報が同じであると判定される。2つのブロードキャストチャネルの基準信号シーケンスが同じである場合、2つのブロードキャストチャネルに含まれるブロードキャスト情報は異なると判定される。
【００６６】
基準信号シーケンスは、擬似ランダムシーケンスであってもよく、例えば、擬似ランダムシーケンスr（m）は、式（1）に基づいて生成されてもよい。
【数１】
2020524441.tif 000003
ここで、
c（n）＝（x1（n＋NC）＋x2（n＋NC））mod2
x1（n＋31）＝（x1（n＋3）＋x1（n））mod2
x1（n＋31）＝（x2（n＋3）＋x2（n＋2）＋x2（n＋1）＋x2（n））mod2
x1（0）＝1，x1（n）＝0，n＝1，2，．．．，30、
【数２】
2020524441.tif 000004
はダウンリンクPRBの最大数
【数３】
2020524441.tif 000005
を表し、Ncは定数であって、例えばNc＝1600である。cinitは基準信号の初期値（上位層のシグナリング構成、同期またはブロードキャスト信号構成、または事前定義などの方法のいずれかで取得できる）を表し、または、端末装置の識別情報および／または仮想識別情報を使用して導出されてもよい。
【００６７】
加えて、基準信号シーケンスは、Zadoff−Chuシーケンス、略してZCシーケンス、またはmシーケンスもしくは別のフォーマットのシーケンスであってもよい。これは特に限定されない。
【００６８】
本願では、基準信号はそれぞれ基準信号シーケンスを含んでもよい。基準信号シーケンスの初期値は、2つのブロードキャストチャネルに含まれるブロードキャスト情報が同じであるかどうかを示すために使用されてもよい。それに対応して、本願では、ユーザ機器は、2つのブロードキャストチャネルの基準信号シーケンスの初期値に基づいて、2つのブロードキャストチャネルに含まれるブロードキャスト情報が同じであるかどうかを判定してもよい。例えば、2つのブロードキャストチャネルの基準信号シーケンスの初期値が同じである場合、2つのブロードキャストチャネルに含まれるブロードキャスト情報が同じであると判定されてもよい。2つのブロードキャストチャネルの基準信号シーケンスの初期値が異なる場合、2つのブロードキャストチャネルに含まれるブロードキャスト情報が異なると判定されてもよい。
【００６９】
あるいは、2つのブロードキャストチャネルの基準信号シーケンスの初期値が異なる場合、2つのブロードキャストチャネルに含まれるブロードキャスト情報は同じであると判定される。2つのブロードキャストチャネルの基準信号シーケンスの初期値が同じ場合、2つのブロードキャストチャネルに含まれるブロードキャスト情報は異なると判定される。
【００７０】
本願では、基準信号はそれぞれ基準信号シーケンスを含む。基準信号シーケンスの初期値の識別情報IDは、2つのブロードキャストチャネルに含まれるブロードキャスト情報が同じであるかどうかを示すために使用されてもよい。それに対応して、本願では、ユーザ機器は、2つのブロードキャストチャネルの基準信号シーケンスの初期値の識別情報IDに基づいて、2つのブロードキャストチャネルに含まれるブロードキャスト情報が同じであるかどうかを判定してもよい。例えば、2つのブロードキャストチャネルの基準信号シーケンスの初期値の識別情報IDが同じである場合、2つのブロードキャストチャネルに含まれるブロードキャスト情報は同じであると判定されてもよい。2つのブロードキャストチャネルの基準信号シーケンスの初期値の識別情報IDが異なる場合、2つのブロードキャストチャネルに含まれるブロードキャスト情報は異なると判定される。
【００７１】
あるいは、2つのブロードキャストチャネルの基準信号シーケンスの初期値の識別情報IDが異なる場合、2つのブロードキャストチャネルに含まれるブロードキャスト情報は同じであると判定される。2つのブロードキャストチャネルの基準信号シーケンスの初期値の識別情報IDが同じである場合、2つのブロードキャストチャネルに含まれるブロードキャスト情報は異なると判定される。
【００７２】
本願では、基準信号はそれぞれ基準信号シーケンスを含む。基準信号シーケンスの巡回シフト値は、2つのブロードキャストチャネルに含まれるブロードキャスト情報が同じであるかどうかを示すために使用されてもよい。それに対応して、本願では、ユーザ機器は、2つのブロードキャストチャネルの基準信号シーケンスの巡回シフト値に基づいて、2つのブロードキャストチャネルに含まれるブロードキャスト情報が同じであるかどうかを判定してもよい。例えば、2つのブロードキャストチャネルの基準信号シーケンスの巡回シフト値が同じである場合、2つのブロードキャストチャネルに含まれるブロードキャスト情報は同じであると判定されてもよい。2つのブロードキャストチャネルの基準信号シーケンスの巡回シフト値が異なる場合、2つのブロードキャストチャネルに含まれるブロードキャスト情報が異なると判定されてもよい。
【００７３】
あるいは、2つのブロードキャストチャネルの基準信号シーケンスの巡回シフト値が異なる場合、2つのブロードキャストチャネルに含まれるブロードキャスト情報は同じであると判定される。2つのブロードキャストチャネルの基準信号シーケンスの巡回シフト値が同じである場合、2つのブロードキャストチャネルに含まれるブロードキャスト情報は異なると判定される。
【００７４】
本願では、基準信号はそれぞれ基準信号シーケンスを含み、基準信号シーケンスによって使用されるマスクまたは直交カバーコードOCCは、2つのブロードキャストチャネルに含まれるブロードキャスト情報が同じであるかどうかを示すために使用されてもよい。それに対応して、本願では、ユーザ機器は、2つのブロードキャストチャネルの基準信号シーケンスで使用されるマスク（Mask）または直交カバーコード（Orthogonal Cover Code、OCC）に基づいて、2つのブロードキャストチャネルに含まれるブロードキャスト情報が同じであるかどうかを判定してもよい。例えば、2つのブロードキャストチャネルの基準信号シーケンスによって使用されるマスクが同じである場合、2つのブロードキャストチャネルに含まれるブロードキャスト情報が同じであると判定されてもよい。別の例では、2つのブロードキャストチャネルの基準信号シーケンスによって使用される直交カバーコードOCCが同じである場合、2つのブロードキャストチャネルに含まれるブロードキャスト情報が同じであると判定されてもよい。2つのブロードキャストチャネルの基準信号シーケンスによって使用される直交カバーコードOCCが異なる場合、2つのブロードキャストチャネルに含まれるブロードキャスト情報が異なると判定されてもよい。
【００７５】
あるいは、2つのブロードキャストチャネルの基準信号シーケンスのマスクまたはOCCが異なる場合、2つのブロードキャストチャネルに含まれるブロードキャスト情報は同じであると判定される。2つのブロードキャストチャネルの基準信号シーケンスのマスクまたはOCCが同じである場合、2つのブロードキャストチャネルに含まれるブロードキャスト情報が異なると判定される。
【００７６】
本願では、基準信号はそれぞれ基準信号シーケンスを含む。基準信号シーケンスによって使用される仮想識別情報は、2つのブロードキャストチャネルに含まれるブロードキャスト情報が同じであるかどうかを示すために使用されてもよい。それに対応して、本願では、ユーザ機器は、2つのブロードキャストチャネルの基準信号シーケンスによって使用される仮想識別情報に基づいて、2つのブロードキャストチャネルに含まれるブロードキャスト情報が同じであるかどうかを判定してもよい。例えば、2つのブロードキャストチャネルの基準信号シーケンスによって使用される仮想識別情報が同じである場合、2つのブロードキャストチャネルに含まれるブロードキャスト情報は同じであると判定されてもよい。2つのブロードキャストチャネルの基準信号シーケンスによって使用される仮想識別情報が異なる場合、2つのブロードキャストチャネルに含まれるブロードキャスト情報が異なると判定されてもよい。
【００７７】
あるいは、2つのブロードキャストチャネルの基準信号シーケンスによって使用される仮想識別情報が異なる場合、2つのブロードキャストチャネルに含まれるブロードキャスト情報は同じであると決定される。2つのブロードキャストチャネルの基準信号シーケンスによって使用される仮想識別情報が同じである場合、2つのブロードキャストチャネルに含まれるブロードキャスト情報は異なると判定される。
【００７８】
本願の別の実現可能な実施形態では、ブロードキャストチャネルの基準信号は、疑似コロケーション（Quasi Co−Located、QCL）情報をさらに搬送する。QCL情報は、ブロードキャストチャネルの基準信号と、制御チャネルリソース内の少なくとも1つの制御チャネルの復調基準信号と、がQCLであることを示す。ここで、ブロードキャストチャネルの基準信号は、ブロードキャストチャネルの同期信号または専用復調基準信号を含んでもよい。任意選択で、QCL情報は、ブロードキャストチャネルの基準信号以外の基準信号と、制御チャネルリソース内の少なくとも1つの制御チャネルの復調基準信号と、がQCLであることを示すためにさらに使用されてもよい。
【００７９】
2つのQCL基準信号または2つのQCL基準信号リソースは、同じ値のQCLパラメータを有してもよい。QCLパラメータを表1に示す。QCL情報は、基準信号のQCLタイプを示す指示情報を含み、および／または2つの基準信号がQCLであるかどうかを示す。
【００８０】
具体的には、前述のQCL基準信号は、表1の3つのQCLタイプのうちの少なくとも1つに属してもよい。しかし、これは本願の実施形態では限定されない。あるいは、前述のQCL基準信号は、別のQCLタイプを含んでもよい。2つの基準信号がQCLであることは、2つの基準信号のQCLパラメータが、制御チャネルの基準信号およびブロードキャストチャネルの基準信号に関して同じであることを示す。表1に示すように、QCLパラメータは、チャネル平均利得（タイプ1）、チャネル大規模特徴（タイプ2）、すなわち、｛平均遅延、遅延延長、ドップラーシフト、ドップラー周波数拡散スペクトルなど｝、またはチャネル空間パラメータ（タイプ3）のうちの少なくとも1つを含む。例えば、制御チャネルの前述の基準信号およびブロードキャストチャネルの基準信号のQCLタイプは、タイプ3に属し、制御チャネルの前述の基準信号とブロードキャストチャネルの基準信号とのチャネル空間的特徴は同じである。
【００８１】
【表１】
2020524441.tif 000006
【００８２】
任意選択で、疑似コロケーション情報は、ブロードキャストチャネルの基準信号シーケンスで搬送されてもよい。2つのブロードキャストチャネルの基準信号の基準信号シーケンスは同じであり、ブロードキャスト情報が示す制御チャネルリソースセットに含まれる候補制御チャネルの基準信号とブロードキャストチャネルの基準信号とはQCLである。
【００８３】
ネットワーク装置は、ブロードキャストチャネルのブロードキャスト情報に基づいて少なくとも2つの候補制御チャネルをさらに構成してもよく、少なくとも2つの候補制御チャネルのQCL情報は異なる。ユーザ機器は、ブロードキャストチャネルのブロードキャスト情報に基づいて少なくとも2つの候補制御チャネルを検出してもよい。少なくとも2つの候補制御チャネルのQCL情報は異なる。
【００８４】
2つのブロードキャストチャネルは、第1のブロードキャストチャネルおよび第2のブロードキャストチャネルを含む。第1のブロードキャストチャネルは、フレームヘッダに対して時間領域において第1のオフセットを有し、第2のブロードキャストチャネルは、フレームヘッダに対して時間領域において第2のオフセットを有する。第1のブロードキャストチャネルとQCLである第1の候補制御チャネルは、第1のオフセット値に基づいて決定され、第2のブロードキャストチャネルとQCLである第2の候補制御チャネルは、第2のオフセット値に基づいて決定される。第1の候補制御チャネルと第2の候補制御チャネルとによってマッピングされる物理リソースは異なる。
【００８５】
本願では、ブロードキャストチャネルを受信し、ブロードキャストチャネル内のブロードキャスト情報を取得した後に、ユーザ機器は、ブロードキャスト情報内の制御チャネルのリソース構成情報に基づいて、対応するリソース位置で制御チャネルを受信し、制御チャネルで送信された制御情報に基づいてネットワークにアクセスすることができることにさらに留意されたい。しかし、本願では、ブロードキャストチャネルを結合することにより、取得したブロードキャストチャネルがより正確になり、ユーザ機器がネットワークにアクセスすることが加速される。あるいは、いくつかのシナリオでは、例えば、ユーザ機器が障害物によってブロックされているためにユーザ機器とネットワーク装置との間のチャネルでシャドウフェージングが発生するシナリオでは、通常、ユーザ機器は、1つのブロードキャスト情報を使用してシステムにアクセスすることができない。本願では、同じブロードキャスト情報が結合されるので、ユーザ機器は前述のシナリオでシステムに正常にアクセスすることができる。
【００８６】
図4は、本願の前述の実施形態で使用される基地局の可能な概略構造図を示す。基地局は、図1または図2の基地局、または図3のネットワーク装置であってもよい。
【００８７】
本願では、基地局はトランシーバ401およびコントローラ／プロセッサ402を含む。トランシーバ401は、前述の実施形態における基地局とユーザ機器との間の情報の受信および送信をサポートし、基地局とコアネットワーク装置との間の無線通信をサポートするように構成されてもよい。
【００８８】
コントローラ／プロセッサ402は、端末装置およびコアネットワーク装置と通信するために使用される様々な機能を実行するように構成される。アップリンクでは、ユーザ機器からのアップリンク信号がアンテナで受信され、トランシーバ401で復調され、コントローラ／プロセッサ402でさらに処理されて、ユーザ機器から送信されたサービスデータと通知情報が再構築される。ダウンリンクでは、サービスデータと通知メッセージがコントローラ／プロセッサ402によって処理され、トランシーバ401によって復調されてダウンリンク信号が生成され、ダウンリンク信号がアンテナを使用してUEに送信される。コントローラ／プロセッサ402は、前述の実施形態で説明したブロードキャスト情報を決定するための方法を実行し、少なくとも2つのブロードキャストチャネルを生成し、少なくとも2つのブロードキャストチャネルをユーザ機器に送信するようにさらに構成される。コントローラ／プロセッサ402は、図3のネットワーク装置の処理プロセスおよび／または本願に記載された技術の別のプロセスを実行するようにさらに構成される。基地局は、基地局のプログラムコードおよびデータを格納するように構成されてもよいメモリ403をさらに含んでもよい。基地局は、基地局と別のネットワークエンティティとの間の通信をサポートする、例えば、基地局とコアネットワーク装置との間の通信をサポートするように構成された通信ユニット404をさらに含んでもよい。
【００８９】
図4は、基地局の簡略化された設計のみを示していることが理解され得る。実際のアプリケーションでは、基地局は任意の数の送信機、受信機、プロセッサ、コントローラ、メモリ、通信ユニットなどを含むことができ、本願を実施することができるすべての基地局は本願の保護範囲に含まれる。
【００９０】
図5は、本願の前述の実施形態で使用されるユーザ機器の設計構造の可能な簡略化された概略図を示す。ユーザ機器は、図1または図2のUE、または図3のユーザ機器であってもよい。ユーザ機器は、トランシーバ501およびコントローラ／プロセッサ502を含み、さらにメモリ503およびモデムプロセッサ504を含んでもよい。
【００９１】
トランシーバ501は、出力サンプリングの調整（例えば、アナログ変換、フィルタリング、増幅、およびアップコンバージョン）を実行し、アップリンク信号を生成する。前述の実施形態では、アンテナを用いてアップリンク信号が基地局に送信される。ダウンリンクでは、アンテナは、前述の実施形態において基地局によって送信されたダウンリンク信号を受信する。トランシーバ501は、アンテナから受信した信号に対して調整（例えば、フィルタリング、増幅、ダウンコンバージョン、およびデジタル化）を実行し、入力サンプリングを提供する。モデムプロセッサ504では、エンコーダ5041は、アップリンクで送信されるサービスデータおよび通知メッセージを受信し、サービスデータおよび通知メッセージに処理（例えば、フォーマッティング、コーディング、およびインターリービング）を実行する。変調器5042は、符号化されたサービスデータおよび符号化された通知メッセージに対して処理（例えば、シンボルマッピングおよび変調）をさらに実行し、出力サンプリングを提供する。デコーダ5043は、シンボル推定に対して処理（例えば、デインターリービングおよび復号化）を実行し、ユーザ機器に送信される復号化されたデータおよび通知メッセージを提供する。復調器5044は、入力サンプリングに対して処理（例えば、復調）を実行し、シンボル推定を提供する。エンコーダ5041、変調器5042、デコーダ5043、および復調器5044は、結合されたモデムプロセッサ504によって実現されてもよい。これらのユニットは、無線アクセスネットワークで使用される無線技術（LTEまたは進化型システムのアクセス技術など）に基づいて処理を実行する。
【００９２】
コントローラ／プロセッサ502は、ユーザ機器の動作を制御および管理し、前述の実施形態においてユーザ機器によって実施される処理を実行するように構成される。ユーザ機器は、少なくとも2つのブロードキャストチャネルを受信し、ブロードキャストチャネルの基準信号に基づいて、2つのブロードキャストチャネルに含まれるブロードキャスト情報が同じであるかどうかを決定してもよい。一例では、コントローラ／プロセッサ502は、図3のユーザ機器の動作を実行する際にユーザ機器をサポートするように構成されてもよい。メモリ503は、ユーザ機器のプログラムコードおよびデータを格納するように構成される。
【００９３】
当業者は、本願の実施形態が、方法、システム、またはコンピュータプログラム製品として提供されてもよいことを理解されたい。したがって、本願は、ハードウェアのみの実施形態、ソフトウェアのみの実施形態、またはソフトウェアとハードウェアとの組み合わせを有する実施形態の形態を使用してもよい。さらに、本願は、コンピュータで使用可能なプログラムコードを含む1つまたは複数のコンピュータで使用可能な記憶媒体（ディスクメモリ、CD−ROM、光メモリなどを含むがこれらに限定されない）上に実装されるコンピュータプログラム製品の形態を使用してもよい。
【００９４】
本願は、本願による方法、装置（システム）、およびコンピュータプログラム製品のフローチャートおよび／またはブロック図を参照して説明されている。コンピュータプログラム命令を使用して、フローチャートおよび／またはブロック図における各プロセスおよび／または各ブロック、ならびにフローチャートおよび／またはブロック図におけるプロセスおよび／またはブロックの組み合わせを実施することができることを理解されたい。これらのコンピュータプログラム命令は、機械を生成するために、汎用コンピュータ、専用コンピュータ、組み込みプロセッサ、または任意の他のプログラム可能なデータ処理装置のプロセッサに提供することができ、その結果、コンピュータまたは任意の他のプログラム可能なデータ処理装置のプロセッサは、フローチャート内の1つもしくは複数のプロシージャおよび／またはブロック図の1つもしくは複数のブロックの特定の機能を実現するための装置を生成する。
【００９５】
これらのコンピュータプログラム命令は、代替的にコンピュータまたは他のプログラム可能なデータ処理装置が特定の仕方で動作するように命令することができるコンピュータ可読メモリに格納されてもよく、コンピュータ可読メモリに格納された命令が命令装置を含むアーティファクトを生成する。命令装置は、フローチャートの1つもしくは複数のプロシージャおよび／またはブロック図の1つもしくは複数のブロックの特定の機能を実現する。
【００９６】
これらのコンピュータプログラム命令は、代替的にコンピュータまたは別のプログラム可能なデータ処理装置にロードされてもよく、コンピュータまたは別のプログラム可能な装置上で一連の動作およびステップが実行され、それによってコンピュータにより実行される処理が生成される。したがって、コンピュータまたは別のプログラム可能な装置上で実行される命令は、フローチャートの1つもしくは複数のプロシージャおよび／またはブロック図の1つもしくは複数のブロックの特定の機能を実現するステップを提供する。
【００９７】
明らかに、当業者は、本願の趣旨および範囲から逸脱することなく、本願に対して様々な修正および変形を行うことができる。本願は、添付の特許請求の範囲およびそれらと等価な技術によって規定される範囲内に入るという条件で、本願のこれらの修正および変形を包含することが意図されている。
【符号の説明】
【００９８】
401  トランシーバ
402  コントローラ／プロセッサ
403  メモリ
404  通信ユニット
501  トランシーバ
502  コントローラ／プロセッサ
503  メモリ
504  モデムプロセッサ
5041  エンコーダ
5042  変調器
5043  デコーダ
5044  復調器
【図１】
2020524441.tif 000007
【図２】
2020524441.tif 000008
【図３】
2020524441.tif 000009
【図４】
2020524441.tif 000010
【図５】
2020524441.tif 000011
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
ブロードキャスト情報を決定するための方法であって、
ユーザ機器によって、少なくとも2つのブロードキャストチャネルを受信するステップであって、各ブロードキャストチャネルは基準信号およびブロードキャスト情報を含む、ステップと、
前記2つのブロードキャストチャネルの各々の前記基準信号に基づいて、前記ユーザ機器によって、前記2つのブロードキャストチャネルに含まれるブロードキャスト情報が同じであるかどうかを判定するステップと、を含む方法。
【請求項２】
前記ブロードキャスト情報は、制御チャネルリソースの構成情報を含む、請求項1に記載の方法。
【請求項３】
前記少なくとも2つのブロードキャストチャネルによって使用されるセル識別情報は同じである、請求項1または2に記載の方法。
【請求項４】
前記2つのブロードキャストチャネルの各々の前記基準信号に基づいて、前記ユーザ機器によって、前記2つのブロードキャストチャネルに含まれるブロードキャスト情報が同じであるかどうかを判定する前記ステップは、
前記2つのブロードキャストチャネルの前記基準信号シーケンスに基づいて、前記ユーザ機器によって、前記2つのブロードキャストチャネルに含まれる前記ブロードキャスト情報が同じであるかどうかを判定するステップを含む、請求項1から3のいずれか一項に記載の方法。
【請求項５】
前記ブロードキャストチャネルの前記基準信号は、疑似コロケーション（QCL）情報をさらに搬送し、前記QCL情報は、前記ブロードキャストチャネルの前記基準信号と、前記制御チャネルリソース内の少なくとも1つの制御チャネルの復調基準信号と、が疑似コロケートされることを示す、請求項2から4のいずれか一項に記載の方法。
【請求項６】
前記方法は、
前記ブロードキャストチャネルの前記ブロードキャスト情報に基づいて、少なくとも2つの候補制御チャネルを前記ユーザ機器によって検出するステップであって、前記少なくとも2つの候補制御チャネルのQCL情報は異なっている、ステップをさらに含む、請求項5に記載の方法。
【請求項７】
ブロードキャスト情報を決定するための方法であって、
ネットワーク装置によって、少なくとも2つのブロードキャストチャネルを決定するステップであって、各ブロードキャストチャネルは、基準信号およびブロードキャスト情報を含み、前記基準信号は、前記少なくとも2つのブロードキャストチャネルに含まれるブロードキャスト情報が同じであるかどうかを示す、ステップと、
前記ネットワーク装置によって、前記少なくとも2つのブロードキャストチャネルを送信するステップと、を含む方法。
【請求項８】
前記ブロードキャスト情報は、制御チャネルリソースの構成情報を含む、請求項7に記載の方法。
【請求項９】
前記少なくとも2つのブロードキャストチャネルによって使用されるセル識別情報は同じである、請求項7または8に記載の方法。
【請求項１０】
前記基準信号は各々基準信号シーケンスを含み、前記基準信号シーケンスは、前記2つのブロードキャストチャネルに含まれる前記ブロードキャスト情報が同じであるかどうかを示す、請求項7から9のいずれか一項に記載の方法。
【請求項１１】
前記ブロードキャストチャネルの前記基準信号は、疑似コロケーション（QCL）情報を搬送し、前記QCL情報は、前記ブロードキャストチャネルの前記基準信号と、前記制御チャネルリソース内の少なくとも1つの制御チャネルの復調基準信号と、が疑似コロケートされることを示す、請求項8から10のいずれか一項に記載の方法。
【請求項１２】
前記方法は、前記ブロードキャストチャネルの前記ブロードキャスト情報に基づいて、少なくとも2つの候補制御チャネルを前記ネットワーク装置によって構成するステップであって、前記少なくとも2つの候補制御チャネルのQCL情報は異なっている、ステップを含む、請求項11に記載の方法。
【請求項１３】
少なくとも2つのブロードキャストチャネルを受信するように構成されたトランシーバであって、各ブロードキャストチャネルが基準信号およびブロードキャスト情報を含む、トランシーバと、
前記2つのブロードキャストチャネルの各々の前記基準信号に基づいて、前記2つのブロードキャストチャネルに含まれるブロードキャスト情報が同じであるかどうかを判定するように構成されたプロセッサと、
を含むユーザ機器。
【請求項１４】
前記ブロードキャスト情報は、制御チャネルリソースの構成情報を含む、請求項13に記載のユーザ機器。
【請求項１５】
前記少なくとも2つのブロードキャストチャネルによって使用されるセル識別情報は同じである、請求項13または14に記載のユーザ機器。
【請求項１６】
前記プロセッサは、
前記2つのブロードキャストチャネルの基準信号シーケンスに基づいて、前記2つのブロードキャストチャネルに含まれる前記ブロードキャスト情報が同じであるかどうかを判定するように構成される、請求項13から15のいずれか一項に記載のユーザ機器。
【請求項１７】
前記ブロードキャストチャネルの前記基準信号は、疑似コロケーション（QCL）情報をさらに搬送し、前記QCL情報は、前記ブロードキャストチャネルの前記基準信号と、前記制御チャネルリソース内の少なくとも1つの制御チャネルの復調基準信号と、が疑似コロケートされることを示す、請求項14から16のいずれか一項に記載のユーザ機器。
【請求項１８】
前記プロセッサは、前記ブロードキャストチャネルの前記ブロードキャスト情報に基づいて、少なくとも2つの候補制御チャネルを検出し、前記少なくとも2つの候補制御チャネルのQCL情報が異なっている、ようにさらに構成される、請求項17に記載のユーザ機器。
【請求項１９】
少なくとも2つのブロードキャストチャネルを決定するように構成されたプロセッサであって、各ブロードキャストチャネルが基準信号およびブロードキャスト情報を含み、前記基準信号が前記少なくとも2つのブロードキャストチャネルに含まれるブロードキャスト情報が同じであるかどうかを示す、プロセッサと、
前記少なくとも2つのブロードキャストチャネルを送信するように構成されたトランシーバと、
を含むネットワーク装置。
【請求項２０】
前記ブロードキャスト情報は、制御チャネルリソースの構成情報を含む、請求項19に記載のネットワーク装置。
【請求項２１】
前記少なくとも2つのブロードキャストチャネルによって使用されるセル識別情報は同じである、請求項19または20に記載のネットワーク装置。
【請求項２２】
前記基準信号は各々基準信号シーケンスを含み、前記基準信号シーケンスは、前記2つのブロードキャストチャネルに含まれる前記ブロードキャスト情報が同じであるかどうかを示す、請求項19から21のいずれか一項に記載のネットワーク装置。
【請求項２３】
前記ブロードキャストチャネルの前記基準信号は、疑似コロケーション（QCL）情報をさらに搬送し、前記QCL情報は、前記ブロードキャストチャネルの前記基準信号と、前記制御チャネルリソース内の少なくとも1つの制御チャネルの復調基準信号と、が疑似コロケートされることを示す、請求項20から22のいずれか一項に記載のネットワーク装置。
【請求項２４】
前記プロセッサは、前記ブロードキャストチャネルの前記ブロードキャスト情報に基づいて、少なくとも2つの候補制御チャネルを構成し、前記少なくとも2つの候補制御チャネルのQCL情報が異なっている、ようにさらに構成される、請求項23に記載のネットワーク装置。
【請求項２５】
命令を格納するコンピュータプログラムであって、前記命令がコンピュータによって実行されると、前記コンピュータに請求項1から6のいずれか一項に記載の方法または請求項7から12のいずれか一項に記載の方法を実施させる、コンピュータプログラム。
【請求項２６】
ユーザ機器およびネットワーク装置を含む通信システムであって、前記ユーザ機器は、請求項1から6のいずれか一項に記載の方法を実行するように構成され、前記ネットワーク装置は、請求項7から12のいずれか一項に記載の方法を実行するように構成される、通信システム。
【手続補正２】
【補正対象書類名】明細書
【補正対象項目名】０００１
【補正方法】変更
【補正の内容】
【０００１】
本願は、2017年6月17日に提出された「METHOD FOR DETERMINING BROADCAST INFORMATION AND DEVICE」という表題の中国特許出願第201710459817．9号の優先権を主張し、その全体が参照により本明細書に組み込まれる。
【国際調査報告】
2020524441.tif 000012
2020524441.tif 000013
2020524441.tif 000014
2020524441.tif 000015
2020524441.tif 000016
2020524441.tif 000017